(57)【要約】【課題】封入封緘した封筒と連続帳票を名寄せすることができ、その他の同封物とともに主封筒に封入封緘することができる封入封緘システムの提供。【解決手段】配列する複数の丁合ポケットを欠搬送する搬送手段と、連続帳票を各ページに断裁して丁合ポケットに供給する連続帳票供給手段と、各ページの帳票コードを読取る帳票コードリーダと、封入封緘された封筒を丁合ポケットの１つに供給する封筒供給手段と、各封筒の封筒コードを読取る封筒コードリーダと、読取った各コードに基づいて、同一群に属するページと封筒とが同一丁合ポケットに供給されるように制御する名寄せ制御手段と、名寄せされたすべてのページと封筒とを１つの主封筒に封入封緘する封入封緘手段とを具備するようにした封入封緘システム。【選択図】  図１
2007008653.tif 000002
【特許請求の範囲】
【請求項１】
配列する複数の丁合ポケットを有し前記配列の間隔でその丁合ポケットを間欠搬送する搬送手段と、
連続帳票を各ページに断裁して前記丁合ポケットの１つに供給する連続帳票供給手段と、
前記連続帳票に設けられその連続帳票の各ページが属する群を特定する帳票コードを読取る帳票コードリーダと、
封入封緘され集積された封筒を分離して前記丁合ポケットの１つに供給する封筒供給手段と、
前記封筒に設けられその封筒が属する群を特定する封筒コードを読取る封筒コードリーダと、
前記読取った帳票コードと前記読取った封筒コードに基づいて、同一群に属する連続帳票の各ページと同一群に属する封筒とが同一丁合ポケットに供給されるように、前記搬送手段と前記連続帳票供給手段と前記封筒供給手段を制御する名寄せ制御手段と、
前記丁合ポケットに供給されたすべてのページとすべての封筒とを１つの主封筒に封入封緘する封入封緘手段と、
を具備することを特徴とする封入封緘システム。
【請求項２】
請求項１記載の封入封緘システムにおいて、集積された同封物を分離して前記丁合ポケットの１つに供給する同封物供給手段を具備することを特徴とする封入封緘システム。
【請求項３】
請求項１または２記載の封入封緘システムにおいて、前記封筒コードは前記封筒の封入物に印刷された封筒コードであって、前記封筒コードリーダは前記封筒に形成された窓を通じて封筒コードを読取ることを特徴とする封入封緘システム。
【発明の詳細な説明】
【技術分野】
【０００１】
本発明は封入封緘の技術分野に属する。特に、ダイレクトメール等において中身（封入物）を名寄せして封筒（主封筒）に封入封緘するときに、その中身が封入封緘された封筒（副封筒）を含み、さらに、その封筒だけでなく連続帳票の各ページ、等を含む場合に適用することができる連続帳票と封筒の名寄せ封入封緘システムに関する。
【背景技術】
【０００２】
従来においては、各種の封入物を封入した各封筒をあらかじめ設定した組み合わせで丁合する丁合装置が知られている。たとえば、複数の区分けポケットを有する搬送コンベア装置と、各種の封入物が封入されて所定の順序で並べられた各封筒を区分けポケットに供給する複数の封筒供給ユニットと、各封筒ごとに設けたバーコードを読取るためのバーコードリーダと、バーコードリーダの読取り内容に基づいて、各封筒供給ユニットから対応位置する区分けポケットへの封筒の供給を制御する制御部と、区分けポケット内に供給されて丁合された複数の封筒を綴じ合わせる綴じ装置とを備え、封筒のバーコードの読取り内容に基づいて、所定の封筒を移動してきた搬送コンベア装置の区分けポケットに縦方向に供給して丁合したうえ、封筒同士を綴じ合わせる丁合装置が知られている（特許文献１）。
【特許文献１】特開平０８−２３１１１６
【０００３】
しかしながら、上述のような従来の丁合装置においては、以下の問題がある。（１）名寄せし丁合した各封筒は綴じるだけであるからそれらの封筒を主封筒に封入封緘することができない。また各封筒が綴じられていることにより、利用者において各封筒を別々に取り扱いたいときには不便である。（２）丁合可能な対象物は封筒に限られ、封筒以外の封入物を丁合するためには別工程で行う必要性がある。（３）丁合する封筒は封緘されていないため、セキュリティの保持が困難であり個人情報が記載された同封物を封入することができない。
【発明の開示】
【発明が解決しようとする課題】
【０００４】
本発明は上記の問題を解決するために成されたものである。その目的は、封入封緘した封筒と連続帳票を名寄せすることができ、その他の同封物とともに主封筒に封入封緘することができる封入封緘システムを提供することにある。本発明の封入封緘システムによれば、セキュリティの保持が容易であり個人情報が記載された同封物を取扱うことが可能である。
【課題を解決するための手段】
【０００５】
本発明の請求項１に係る封入封緘システムは、配列する複数の丁合ポケットを有し前記配列の間隔でその丁合ポケットを欠搬送する搬送手段と、連続帳票を各ページに断裁して前記丁合ポケットの１つに供給する連続帳票供給手段と、前記連続帳票に設けられその連続帳票の各ページが属する群を特定する帳票コードを読取る帳票コードリーダと、封入封緘され集積された封筒を分離して前記丁合ポケットの１つに供給する封筒供給手段と、前記封筒に設けられその封筒が属する群を特定する封筒コードを読取る封筒コードリーダと、前記読取った帳票コードと前記読取った封筒コードに基づいて、同一群に属する連続帳票の各ページと同一群に属する封筒とが同一丁合ポケットに供給されるように、前記搬送手段と前記連続帳票供給手段と前記封筒供給手段を制御する名寄せ制御手段と、前記丁合ポケットに供給されたすべてのページとすべての封筒とを１つの主封筒に封入封緘する封入封緘手段とを具備するようにしたものである。
また本発明の請求項２に係る封入封緘システムは、請求項１に係る封入封緘システムにおいて、集積された同封物を分離して前記丁合ポケットの１つに供給する同封物供給手段を具備するようにしたものである。
また本発明の請求項３に係る封入封緘システムは、請求項１または２に係る封入封緘システムにおいて、前記封筒コードは前記封筒の封入物に印刷された封筒コードであって、前記封筒コードリーダは前記封筒に形成された窓を通じて封筒コードを読取るようにしたものである。
【発明の効果】
【０００６】
本発明の請求項１に係る封入封緘システムによれば、配列する複数の丁合ポケットを有する搬送手段により配列の間隔でその丁合ポケットが間欠搬送され、連続帳票供給手段により連続帳票が各ページに断裁されて丁合ポケットの１つに供給され、帳票コードリーダにより連続帳票に設けられその連続帳票の各ページが属する群を特定する帳票コードが読取られ、封筒供給手段により封入封緘され集積された封筒が分離されて丁合ポケットの１つに供給され、封筒コードリーダにより封筒に設けられその封筒が属する群を特定する封筒コードが読取られ、読取った帳票コードと読取った封筒コードに基づいて名寄せ制御手段により同一群に属する連続帳票の各ページと同一群に属する封筒とが同一丁合ポケットに供給されるように搬送手段と連続帳票供給手段と封筒供給手段が制御され、封入封緘手段により丁合ポケットに供給されたすべてのページとすべての封筒とが１つの主封筒に封入封緘される。したがって、封入封緘した封筒と連続帳票を名寄せすることができ、その他の同封物とともに主封筒に封入封緘することができる封入封緘システムを提供される。また、セキュリティの保持が容易であり個人情報が記載された同封物を取扱うことが可能である。
また本発明の請求項２に係る封入封緘システムによれば、同封物供給手段により集積された同封物が分離されて丁合ポケットの１つに供給される。
また本発明の請求項３に係る封入封緘システムによれば、封筒コードは封筒の封入物に印刷された封筒コードであって、封筒コードリーダは封筒に形成された窓を通じて封筒コードを読取る。したがって、封筒そのものには封筒コードを印刷する必要がない。
【発明を実施するための最良の形態】
【０００７】
次に、本発明の実施の形態について図を参照しながら説明する。本発明の封入封緘システムにおける構成の一例を図１に示す。また本発明の封入封緘システムにおいて主封筒に封入封緘する封入封緘済封筒（副封筒）の一例を図２に示す。また本発明の封入封緘システムにおいて主封筒に封入封緘する中身（封入物）の一例を図３に示す。図１、図２において、１は連続帳票供給部、２は帳票コードリーダ、３は搬送部、４は封入封緘済封筒供給部、５は封筒コードリーダ、６ａ，６ｂ，６ｃは同封物供給部、７は封入封緘部、８は積載部、９は制御部、１０は帳票（ページ）、３１ａ，３１ｂ，３１ｃ，・・・は丁合ポケット、４０，４０ａ，４０ｂ，４０ｃは封入封緘済封筒（副封筒）、４１は封筒コード、６０ａ，６０ｂ，６０ｃは同封物、８０は封筒（主封筒）である。
【０００８】
連続帳票は複数のページ（１単位）の帳票１０が印刷され、それらのページが切り離される前の連続している長尺の帳票である。帳票１０は連続用紙において丁合する順番に配列している。図３に示すように、帳票１０にはその帳票が属する群、すなわち丁合する群を識別することができる帳票コード（バーコード等）が印刷されている。丁合される帳票１０は１枚のこともあれば複数枚のこともある。帳票１０はそのものだけでなく同一群に属するその他の封入物、すなわち封入封緘済封筒４０、同封物６０とともに丁合される。連続帳票は横方向（走行方向に対して直角方向）に所定の間隔でミシン目加工が施されていて、その部位を折目として折畳まれ積重ねられた形態を有する。その形態の連続帳票は、図１に示すように、連続帳票供給部１によって上部から引出される。
なお、連続帳票としては、ミシン目加工が施された形態のものに限らない。ミシン目加工が施されていないロール紙のような形態のものも使用することができる。
【０００９】
連続帳票供給部１は折り畳まれた連続帳票を引き出すとともに、その連続帳票を各ページの帳票１０に断裁（切断、破断：burst、マージンカット、等）しながら丁合ポケット３０ａ，・・・の１つに供給する。
帳票コードリーダ２は帳票１０が丁合ポケット３０ａ，・・・の１つに供給される経路において帳票１０に印刷されている帳票コードを読取る。帳票コードリーダ２は帳票コードを読取って得たデータを制御部９に出力する。そのデータには帳票１０が属する群を特定するデータが含まれている。
【００１０】
搬送部３は直線上に配列する複数の丁合ポケット３１ａ，・・・を有する。丁合ポケット３１ａ，・・・は丁合する封入物を受け入れて収容しておく場所である。搬送部３はその配列の間隔で丁合ポケット３１ａ，・・・を間欠搬送する。搬送を停止しているときに、図３に一例を示す封入物である帳票１０と封入封緘済封筒４０と同封物６０が各供給部から丁合ポケット３１ａ，・・・に供給される。各供給部において同一群に属する物品の供給がすべて完了したときに、すなわち名寄せを完了したときに搬送部３は搬送を開始し、配列の間隔だけ丁合ポケット３１ａ，・・・を搬送して停止する。この搬送制御は、制御部９（後述する）によって行われる。搬送部３は丁合ポケット３１ａ，・・・を循環させることで丁合する封入物を搬送し続けることができる。
【００１１】
封入封緘済封筒４０は封筒の中身（封入物）を封入封緘した封筒である。この場合の封入物としては、１つにまとめておくと取扱いが便利な封入物である。たとえば、保険における主契約書類や各種のオプション契約を別々の封筒に分けて封入封緘しておくと判り易い。また、特別招待セールス等の商品案内チラシにおいて、男性向け、女性向け、子供向けを別々の封筒に封入封緘しておくと判り易い。
【００１２】
封入封緘済封筒４０は別の封入封緘工程においてあらかじめ製造しておく。製造された封入封緘済封筒４０は丁合する順番に配列している。図２、図３に示すように、封入封緘済封筒４０にはその封筒が属する群、すなわち丁合する群を識別することができる封筒コード（バーコード等）が設けられている。封筒コードは封筒そのものに印刷したものとは限らない。図３に一例を示すように、封入封緘済封筒４０の封入物に印刷されている封筒コードを封入封緘済封筒４０の窓部を通して読取るように構成することができる。窓部は原紙を封筒に加工する過程で形成するのであるが、最終形態が封入封緘済封筒４０の表面を切り抜いて内側から透明フィルムで覆った形態となるように形成する。
丁合される封入封緘済封筒４０は１通のこともあれば複数通のこともある。封入封緘済封筒４０はそのものだけでなく同一群に属するその他の封入物、すなわち帳票１０、同封物６０とともに丁合される。封入封緘済封筒４０は製造したときの配列順番を保持したまま、封入封緘済封筒供給部４に導入しセッティング（集積）する。
【００１３】
封入封緘済封筒供給部４は封入封緘され集積された封入封緘済封筒４０を分離して丁合ポケット３０ａ，・・・の１つに供給する。
封筒コードリーダ５は封入封緘済封筒４０が丁合ポケット３０ａ，・・・の１つに供給される経路において封入封緘済封筒４０に設けられている封筒コードを読取る。封筒コードリーダ５は封筒コードを読取って得たデータを制御部９に出力する。そのデータには封入封緘済封筒４０が属する群を特定するデータが含まれている。
【００１４】
同封物６０（６０ａ，６０ｂ，６０ｃ）は名寄せしない封入物、すべての封筒の共通する封入物である。ここでは同封物６０と封入物とは異なる意味で使用され、封入物は主封筒に封入封緘するもののすべてであって帳票１０と封入封緘済封筒４０と同封物６０が含まれている。たとえば、同封物６０は、総合カタログ、総合案内状、挨拶状、等の共通情報である。同封物６０は別の印刷工程においてあらかじめ製造しておく。必要ならば印刷後に折り加工等を行って同封物６０が主封筒に封入できるようにしておく。同封物６０ａ，６０ｂ，６０ｃは配列順番を規定する必要性はなく、同封物供給部６ａ，６ｂ，６ｃに導入しセッティング（集積）する。
【００１５】
同封物供給部６ａ，６ｂ，６ｃは集積された同封物６０ａ，６０ｂ，６０ｃを分離して丁合ポケット３０ａ，・・・の１つに供給する。
封入封緘部７は丁合ポケット３０ａ，・・・の各々に供給された封入物のすべてすなわち、図３に示すように、名寄せされた帳票１０（ページ）と名寄せされた封入封緘済封筒４０と同封物６０ａ，６０ｂ，６０ｃを主封筒に封入封緘する。封入封緘部７において主封筒は集積されており、封入封緘部７はそれを分離して1枚づつ取出し、封入口を開いて封入物のすべてを封入した後に封入口を封緘する。
積載部８はそれら封入物を封入封緘した主封筒をすでに重ね合わされた主封筒の集積体に重ね合わせて集積する。
【００１６】
制御部９は封入封緘システムの全体を制御する。制御部９はプログラマブルシーケンスコントローラ等の制御機器によって構成される。制御部９は連続帳票コードリーダ２が読取った帳票コードに基づいて連続帳票供給部１における連続帳票１０の名寄せを制御する。また制御部９は、封筒コードリーダ５が読取った封筒コードに基づいて封入封緘済封筒供給部４における封入封緘済封筒４０の名寄せを制御する。また制御部９は、名寄せした連続帳票１０と名寄せした封入封緘済封筒４０の両者を合体させる名寄せが適正に行われるように搬送部３における丁合ポケットの搬送を制御する。また制御部９は、搬送部３に設けられた各部の丁合ポケットに対応する動作を終了したときに丁合ポケットの間欠的な搬送を開始し、丁合ポケットの搬送を停止した後に各部の動作を開始するように制御する。各部とは、図１に示す一例においては、連続帳票供給部１、封入封緘済封筒供給部４、同封物供給部６ａ，６ｂ，６ｃ、封入封緘部７、積載部８である。
【００１７】
上述の構成において、次に本発明の封入封緘システムにおける動作について説明する。
まず、ステップＳ１において、搬送部３は直線上に配列する複数の丁合ポケット３１ａ，・・・は所定の位置において停止している。図１に示す状態がその状態であるものとする。その停止状態において、連続帳票供給部１は折り畳まれた連続帳票を引き出すとともに、その連続帳票を各ページの帳票１０に断裁しながら丁合ポケット３１ａの１つ手前（上流側）の丁合ポケットに供給する。帳票コードリーダ２は帳票１０に印刷されている帳票コードを読取る。制御部９はその読取りにより得られたデータを入力し、帳票１０における名寄せが終了したか否かを判定し、その名寄せが終了するまで連続帳票供給部１が断裁した帳票を供給するように連続帳票供給部１を制御する。
【００１８】
また停止状態において（連続帳票供給部１と同時進行において）、封入封緘済封筒供給部４は封入封緘され集積された封入封緘済封筒４０を分離して丁合ポケット３０ａに供給する。丁合ポケット３０ａには、すでに名寄せされた帳票１０が収められており、その帳票１０の上に封入封緘済封筒４０が載せられる。封筒コードリーダ５は封入封緘済封筒４０に封入封緘された封入物に印刷されている封筒コードを封入封緘済封筒４０の窓を通して読取る。制御部９はその読取りにより得られたデータを入力し、封入封緘済封筒４０における名寄せが終了したか否かを判定し、その名寄せが終了するまで封入封緘済封筒供給部４が封入封緘済封筒４０を供給するように封入封緘済封筒供給部４を制御する。
【００１９】
また停止状態において（連続帳票供給部１と同時進行において）、同封物供給部６ａ，６ｂ，６ｃの各々は封入できる寸法に折り畳まれ集積されたカタログ等の同封物６０ａ，６０ｂ，６０ｃの各々を分離して丁合ポケット３１ｄ，３１ｅ，３１fの各々に供給する。丁合ポケット３１ｄ，３１ｅ，３１fの各々には、すでに名寄せされた帳票１０と封入封緘済封筒４０が収められており、それらの上に同封物６０ａ，６０ｂ，６０ｃの各々が載せられる。同封物６０ａ，６０ｂ，６０ｃの各々については名寄せが行われないので、丁合ポケット３１ｄ，３１ｅ，３１fの各々において1部づつの供給が行われる。制御部９はそれら供給が適正に終了したか否かを同封物供給部６ａ，６ｂ，６ｃの状態を示すセンサ等からの出力信号を入力して判定する。
【００２０】
また停止状態において（連続帳票供給部１と同時進行において）、封入封緘部７は、図１において、丁合ポケット３０ｇの１つ先方（下流側）の丁合ポケットに供給された封入物のすべてすなわち、図３に示すように、名寄せされた帳票１０（ページ）と名寄せされた封入封緘済封筒４０と同封物６０ａ，６０ｂ，６０ｃを主封筒に封入封緘する。制御部９はそれら封入封緘が適正に終了したか否かを封入封緘部７の状態を示すセンサ等からの出力信号を入力して判定する。
【００２１】
次に、ステップＳ２において、制御部９は連続帳票供給部１、封入封緘済封筒供給部４、同封物供給部６ａ，６ｂ，６ｃ、封入封緘部７の各々のすべてにおいて動作が適正に終了したか否かを判定する。帳票コードリーダ２、封筒コードリーダ５、その他のセンサ等から正常な終了を示す信号だけが出力されているときには（異常を示す信号が出力されないときには）適正に終了したと判定する。そして適正に終了と判定したときには、制御部９は間欠搬送を行う制御指令を搬送部３に出力する。搬送部３はその制御指令を受けて、丁合ポケット３１ａ，・・・配列の間隔の1つ分だけ丁合ポケット３１ａ，・・・を搬送して停止する。この搬送により図１に示す丁合ポケット３１ａは図１に示す丁合ポケット３１ｂの位置に移動する。また、図１に示す丁合ポケット３１ｂは図１に示す丁合ポケット３１ｃの位置に移動する。以下同様であり、図１に示す丁合ポケット３１ｇは図１に示す封入封緘部７の内部、すなわち図１に示す丁合ポケット３１ｇの１つ先方（下流側）の位置に移動する。
このを搬送部３の間欠搬送と同時進行において、積載部８は封入封緘部７において封入物が封入封緘された主封筒をすでに重ね合わされた主封筒の集積体に重ね合わせて集積する。
【００２２】
次に、ステップＳ３において、制御部９は搬送部３の間欠搬送が適正に終了したか否かを判定し、適正に終了したと判定したときには、制御部９は連続帳票供給部１、封入封緘済封筒供給部４、同封物供給部６ａ，６ｂ，６ｃ、封入封緘部７の各々のすべてにおいて各々の動作を開始する制御指令を出力する。
次に、ステップＳ４において、動作を開始する制御指令を入力した連続帳票供給部１、封入封緘済封筒供給部４、同封物供給部６ａ，６ｂ，６ｃ、封入封緘部７の各々のが各々の動作を開始する。その動作はステップＳ１において説明した動作と基本的に同一であるから説明を省略する。
【００２３】
以降、オペレータによる運転停止入力等による正常停止、その他の異常停止がない限り、上述の動作を繰り返すこととなる。
なお、前述のステップＳ３において、適正に終了したと判定できない場合は、（１）各部のセンサ等から異常を示す信号が出力された、（２）各供給部において供給すべき封入物がなくなった、等である。そのときには、ステップ３において、制御部９は動作を開始する制御指令の替わりに、警報を鳴らす等の制御指令を出力する。
【図面の簡単な説明】
【００２４】
【図１】本発明の封入封緘システムにおける構成の一例を示す図である。
【図２】本発明の封入封緘システムにおいて主封筒に封入封緘する封入封緘済封筒（副封筒）の一例を示す図である。
【図３】本発明の封入封緘システムにおいて主封筒に封入封緘する中身（封入物）の一例を示すずである。
【符号の説明】
【００２５】
１  連続帳票供給部
２  帳票コードリーダ
３  搬送部
４  封入封緘済封筒供給部
５  封筒コードリーダ
７  封入封緘部
８  積載部
９  制御部
１０  帳票（ページ）
４０，４０ａ，４０ｂ，４０ｃ  封入封緘済封筒（副封筒）
４１  封筒コード
６０ａ，６０ｂ，６０ｃ  同封物
８０  封筒（主封筒）
【図１】
2007008653.tif 000003
【図２】
2007008653.tif 000004
【図３】
2007008653.tif 000005